(57)【要約】【課題】  物品本体が超軽量、超薄型であっても、適切且つ容易に下着に装着できると共に、着用者に与える不快感を軽減でき、しかも、持ち運ぶ際の利便性を高める吸収性物品を提供する。【解決手段】  吸収性物品１０は、一方向に長い形状に形成され、下着に装着される吸収性の物品本体２０と、この物品本体２０の装着面に設けられ、下着に対する物品本体２０の位置ずれを防止する粘着層と、この粘着層に剥離可能に接着されるシートであって、物品本体２０を下着に装着する際に粘着層から剥離されることで粘着層を露出させる剥離シート２２と、を有する。物品本体２０は、物品本体２０の長手方向に沿って延びる折り曲げ線２７を有し、この折り曲げ線２７によって剥離シート２２を外向きにして折り畳まれる。【選択図】  図１
2014230662.tif 000002
【特許請求の範囲】
【請求項１】
一方向に長い形状に形成され、下着に装着される吸収性の物品本体と、
前記物品本体の装着面に設けられ、前記下着に対する前記物品本体の位置ずれを防止する粘着層と、
前記粘着層に剥離可能に接着されるシートであって、前記下着に前記物品本体を装着する際に前記粘着層から剥離されることで前記粘着層を露出させる剥離シートと、
を有し、
前記物品本体は、
前記物品本体の長手方向に沿って延びる折り曲げ線を有し、この折り曲げ線によって前記剥離シートを外向きにして折り畳まれる、
ことを特徴とする吸収性物品。
【請求項２】
前記剥離シートは、前記粘着層から分割的に剥離可能であることを特徴とする請求項１に記載の吸収性物品。
【請求項３】
前記折り曲げ線によって折り畳まれた前記物品本体を密封する包装体を有することを特徴とする請求項１または２に記載の吸収性物品。
【請求項４】
前記包装体は、
前記物品本体の長手方向に沿って延びる破断線を有し、この破断線によって、前記剥離シートの分割片と一緒に前記物品本体から分割的に取り除き可能である、
ことを特徴とする請求項３に記載の吸収性物品。
【請求項５】
前記剥離シートの長手方向端部に設けられ、前記剥離シートの破断時に把持される把持部を有する、
ことを特徴とする請求項１〜４のいずれかに記載の吸収性物品。
【請求項６】
前記剥離シートと前記粘着層との間に設けられ、前記剥離シートの破断方向を適正な方向に案内する紐状体を有する、
ことを特徴とする請求項１〜５のいずれかに記載の吸収性物品。
【発明の詳細な説明】
【技術分野】
【０００１】
本発明は、吸収性物品に関し、より詳細には、下着への装着性を高めた吸収性物品に関する。
【背景技術】
【０００２】
従来、下着に装着される吸収性物品に関し、各種の技術が提案されている（例えば、特許文献１参照）。
【０００３】
特許文献１には、全長を略３等分するように、吸収性製品の幅方向に沿って折り曲げ線が設定された吸収性製品が開示されている。吸収性製品の表面には、接着部が設けられており、この接着部には、剥離部材が剥離可能に設けられる。吸収性製品は、折り曲げ線により、剥離部材を外向きにして３つ折りに折り畳まれた状態で、包装体で覆われる。
【０００４】
この特許文献１の技術では、包装体を開封した後、３つ折りに折り畳まれた吸収性製品を広げ、吸収性製品から包装体を取り除く。このとき、剥離部材に包装体が接着されているため、剥離部材も接着部から一緒に取り除かれて接着部が露出する。これにより、剥離部材が除去された後の接着部を仮止め部として、下着の内側に吸収性製品を固定することができる。
【先行技術文献】
【特許文献】
【０００５】
【特許文献１】特開２００３−３１２７６５号公報
【発明の概要】
【発明が解決しようとする課題】
【０００６】
しかしながら、上記特許文献１に代表される従来の吸収性物品においては、物品本体を下着に装着する際、小さく３つ折りに折り畳まれた物品本体を広げる必要があるため、物品本体の形態を整えにくいという問題があった。特に、薄くて軽い物品本体（例えば、層構造が単純な薄型のパンティライナーなど）の場合、物品本体が撚れてしまうため、物品本体を下着に適切に装着できないという問題があった。
【０００７】
以下、物品本体が薄くて軽い場合における問題を詳細に説明する。
一般に、物品本体の背面には、物品本体を下着に貼り付けるための粘着層（例えば、特許文献1に記載される接着部）が設けられており、この粘着層には、剥離シート（例えば、特許文献1に記載される剥離部材）が剥離可能に設けられる。一定以上の厚みや一定以上の質量があるタイプの吸収性物品では、物品本体の背面の外周部に粘着層の無い部分があり、この部分を触って取り扱うことができるので、比較的容易に、剥離シートを剥離したり粘着層を下着に貼り付けたりすることができる。一方、いわゆる超薄型、超軽量と呼ばれるタイプの吸収性物品においては、通常、物品本体の背面の全面に亘って粘着層が設けられる場合が多い。このような場合、物品本体が薄くて軽いために撚れ易いことに加え、物品本体の外周部の際まで粘着層があることから、取り扱いが難しく、剥離シートを剥離したり粘着層を下着に貼り付けたりする際に物品本体が部分的に折れて粘着層同士が貼り付いてしまう問題があった。また、このように部分的に折れた物品本体を下着に装着すると、肌のデリケートな部分に不快感を与えるおそれがあった。以上のように、物品本体が薄くて軽い場合、装着性が悪いという問題が、特に顕著に生じていた。したがって、超薄型タイプ、超軽量タイプの吸収性物品において、適切且つ容易に下着に装着できる技術が、強く要望されている。
【０００８】
また、上記特許文献１に代表される従来の吸収性物品においては、トイレ等の比較的暗い空間では、物品本体に対する視認性の低さが加わり、装着がより困難であった。
【０００９】
また、３つ折りに折り畳まれた物品本体は、広げても折り目が残り易いため、滑らかな形態になりにくい。これによっても、肌のデリケートな部分において不快感を与えるおそれがあった。
【００１０】
また、小さく３つ折りに折り畳まれた吸収性物品は、持ち運ぶ際、ポーチやバックなどの中から見つけにくいという問題もあった。
【００１１】
なお、これらの問題は、３つ折りに折り畳まれた吸収性物品に限られるものではなく、物品本体の幅方向に沿って折り曲げ線が設定されたものであれば、折り数に関わらず、同様に生じ得る。
【００１２】
本発明は、このような事情に鑑みてなされたものであり、その目的は、物品本体が超軽量、超薄型であっても、適切且つ容易に下着に装着できると共に、着用者に与える不快感を軽減でき、しかも、持ち運ぶ際の利便性を高めることができる吸収性物品を提供することにある。
【課題を解決するための手段】
【００１３】
このような目的を達成するため、本発明は、以下の構成によって把握される。
（１）本発明の吸収性物品は、一方向に長い形状に形成され、下着に装着される吸収性の物品本体と、前記物品本体の装着面に設けられ、前記下着に対する前記物品本体の位置ずれを防止する粘着層と、前記粘着層に剥離可能に接着されるシートであって、前記下着に前記物品本体を装着する際に前記粘着層から剥離されることで前記粘着層を露出させる剥離シートと、を有し、前記物品本体は、前記物品本体の長手方向に沿って延びる折り曲げ線を有し、この折り曲げ線によって前記剥離シートを外向きにして折り畳まれる、ことを特徴とする。
【００１４】
この構成によれば、物品本体の長手方向に沿って延びる折り曲げ線によって、物品本体を細長い形態に折り畳むため、装着する際に物品本体を広げ易く、物品本体の形態が整え易い。この作用は、物品本体が薄くて軽い場合に特に有効であり、物品本体が超軽量、超薄型であっても、物品本体が撚れにくく、下着に対して物品本体を適切且つ容易に装着することができる。また、下着に対して物品本体を適切且つ容易に装着できることから、粘着層の面積を最小限に抑えることができる。例えば、物品本体の幅方向の片側領域、あるいは、物品本体の全幅の１／３以下の領域、あるいは、点状に粘着層を設けることができる。これにより、取り扱い時に、物品本体が部分的に折れて粘着層同士が貼り付いてしまうなどの不具合を減らすことができると同時に、粘着層の使用量を削減してより安価な吸収性物品を得ることができる。
【００１５】
また、物品本体を細長い形態に折り畳むことにより、物品本体の幅方向に形成される折り曲げ線により折り畳む従来の技術に比べ、広げた際に折り目が残りにくく、ふっくら感が保持される。このため、着用者に与える不快感を軽減することができる。
【００１６】
さらに、細長い形態の吸収性物品は、持ち運ぶ際、ポーチやバックなどの中から容易に見つけることができると共に、ポーチやバックなどの中も整理し易くなり、見栄えも良くなる。
【００１７】
（２）本発明の吸収性物品では、（１）の構成において、前記剥離シートは、前記粘着層から分割的に剥離可能であることを特徴とする。
【００１８】
この構成によれば、剥離シートを分割的に剥離できるので、まず、剥離シートの一部を剥離して粘着層の一部を下着に貼り付けて正確に位置決めした後、剥離シートの残りの部分を剥離して粘着層の残りの部分を下着に貼り付けることができる。すなわち、粘着層の全ての面を一度に下着に貼り付ける必要がなく、粘着層を段階的に下着に貼り付けることができるので、下着に対して物品本体をより容易に装着することができる。
【００１９】
（３）本発明の吸収性物品では、（１）または（２）の構成において、前記折り曲げ線によって折り畳まれた前記物品本体を密封する包装体を有することを特徴とする。
【００２０】
この構成によれば、物品本体を包装体で密封するので、使用前における物品本体の衛生性を良好に保つことができる。
【００２１】
（４）本発明の吸収性物品では、（３）の構成において、前記包装体は、前記物品本体の長手方向に沿って延びる破断線を有し、この破断線によって、前記剥離シートの分割片と一緒に前記物品本体から分割的に取り除き可能である、ことを特徴とする。
【００２２】
この構成によれば、剥離シートの分割片と一緒に物品本体から包装体を分割的に取り除くことができるので、物品本体が包装された状態であっても、粘着層を段階的に下着に貼り付けることができる。
【００２３】
（５）本発明の吸収性物品では、（１）〜（４）のいずれかの構成において、前記剥離シートの長手方向端部に設けられ、前記剥離シートの破断時に把持される把持部を有する、ことを特徴とする。
【００２４】
この構成によれば、把持部を持つことにより剥離シートを容易に破断できるので、より利便性の高い吸収性物品を得ることができる。
【００２５】
（６）本発明の吸収性物品では、（１）〜（５）のいずれかの構成において、前記剥離シートと前記粘着層との間に設けられ、前記剥離シートの破断方向を適正な方向に案内する紐状体を有する、ことを特徴とする。
【００２６】
この構成によれば、紐状体によって、剥離シートの破断方向が適正な方向に案内されるので、より使い勝手の良い吸収性物品を得ることができる。
【発明の効果】
【００２７】
本発明によれば、物品本体が超軽量、超薄型であっても、適切且つ容易に下着に装着できると共に、着用者に与える不快感を軽減でき、しかも、持ち運ぶ際の利便性を高めることができる吸収性物品が提供される。
【図面の簡単な説明】
【００２８】
【図１】第１実施形態の吸収性物品の斜視図である。
【図２】図１のＡ−Ａ線断面図である。
【図３】図１に示す物品本体を展開した図であり、（ａ）は正面図、（ｂ）は背面図である。
【図４】図１に示す吸収性物品から物品本体を抜き出して示す斜視図である。
【図５】図１のＢ矢視図である。
【図６】第１実施形態の吸収性物品の作用説明図であり、包装体を開封する状態を示す図である。
【図７】第１実施形態の吸収性物品の作用説明図であり、（ａ）は下着へ装着する過程を示す図、（ｂ）は下着への装着が完了した状態を示す図である。
【図８】第２実施形態の吸収性物品を示す図であり、図５に対応して描いた図である。
【図９】第２実施形態の吸収性物品の作用説明図である。
【図１０】第３実施形態の吸収性物品の背面図である。
【図１１】図１０のＣ−Ｃ線断面図である。
【図１２】第３実施形態の吸収性物品の作用説明図である。
【図１３】第４実施形態の吸収性物品の背面図である。
【図１４】第５実施形態の吸収性物品を示す図であり、図１１に対応して描いた図である。
【図１５】第６実施形態の吸収性物品の背面図である。
【発明を実施するための形態】
【００２９】
（第１実施形態）
以下、添付図面を参照して、本発明を実施するための第１実施形態について詳細に説明する。
【００３０】
（吸収性物品１０の全体構成）
第１実施形態の吸収性物品１０の全体構成を図１、図２に基づいて説明する。
図１に示すように、吸収性物品１０は、下着１１（図７参照）に装着されるパンティライナー、尿とりパッド、生理用ナプキン等の吸収性の物品本体２０を有する。また、図２に示すように、吸収性物品１０は、物品本体２０の装着面に設けられる粘着層２１と、この粘着層２１に剥離可能に接着される剥離シート２２と、物品本体２０を密封する包装体４０とを有する。
【００３１】
（吸収性物品１０の各部の構成）
次に、吸収性物品１０の各部の構成を図３〜図５に基づいて説明する。
【００３２】
（物品本体２０の構成）
図３は、図１または図２に示される物品本体２０を展開した図であり、（ａ）は正面図、（ｂ）は背面図である。図３（ａ）および（ｂ）に示すように、物品本体２０は、一方向に長い形状に形成され、液透過性のトップシート２３と、液不透過性のバックシート２５と、これらトップシート２３およびバックシート２５の間に設けられる吸収層２６とを含む。そして、物品本体２０は、その長手方向に沿って延びる折り曲げ線２７を有する。
【００３３】
この折り曲げ線２７は、物品本体２０の幅方向（左右方向）中央に設けられており、例えば、トップシート２３側からバックシート２５側に凹む圧搾部などにより形成される。なお、折り曲げ線２７を設ける位置は、幅方向中央から外れた位置でもよい。例えば、物品本体２０の幅をＷとしたとき、物品本体２０の幅方向一端部からＷ×（１／３）程度、離れた位置に折り曲げ線２７を設けてもよい。
【００３４】
トップシート２３およびバックシート２５は、全周に亘ってホットメルト接着剤を用いて固定され、これにより、トップシート２３およびバックシート２５の間に吸収層２６が封止される。なお、トップシート２３、吸収層２６およびバックシート２５のそれぞれの材質や形状等の仕様は、特に限定されず、物品本体２０に求められる機能に応じて、任意に設定可能である。
【００３５】
（粘着層２１の構成）
粘着層２１は、下着１１（図７参照）に対する物品本体２０の位置ずれを防止する機能を発揮する。粘着層２１の材質や形状等の仕様についても、特に限定されず、物品本体２０に求められる機能に応じて、任意に設定可能である。
【００３６】
（剥離シート２２の構成）
剥離シート２２は、粘着層２１に剥離可能に接着されるシートであって、下着１１（図７参照）に物品本体２０を装着する際に粘着層２１から剥離されることで粘着層２１を露出させる。また、剥離シート２２は、必要に応じて、接着剤２８（図２参照）により、包装体４０（図２参照）の内面に剥離不能に接着してもよい。
【００３７】
さらに、剥離シート２２は、粘着層２１から分割的に剥離可能である。すなわち、剥離シート２２は、剥離シート２２の幅方向中央において、物品本体２０の長手方向に沿って延びる破断線３１を有する。剥離シート２２では、この破断線３１が破断されることにより、左右の分割片２２ａ，２２ｂの一方を粘着層２１から先に剥離し、他方を後から剥離することができる。なお、本発明にいう「破断線」は、いわゆるミシン目やスリットを含み、剥離シート２２を分割可能な構成であれば、種類は任意である。
【００３８】
剥離シート２２としては、剥離シート２２の基材に剥離剤を塗布したものが好ましく用いられる。剥離シート２２の基材は、特に制限はないが、例えば、紙、合成樹脂フィルム、不織布等を基材として用いることができる。剥離剤は、特に限定はないが、例えば、熱硬化性あるいはＵＶ（紫外線）硬化性のシリコーン系樹脂、フッ素系樹脂、イソシアネート系樹脂をあげることができる。
【００３９】
図４に示すように、物品本体２０および剥離シート２２は、物品本体２０の長手方向に沿う折り曲げ線２７および破断線３１を基点に、剥離シート２２を外向きにして２つ折りに折り畳まれて、包装体４０（図１参照）に個別に包装される。
【００４０】
（包装体４０の構成）
図５に示すように、包装体４０は、物品本体２０を密封して、使用前における物品本体２０の衛生性を保つ機能を有する。
【００４１】
この例では、長方形状の一対の面４１，４２で包装体４０を構成し、これらの面４１，４２によって、折り畳まれた物品本体２０の厚み方向両側を覆う。包装体４０の各辺部のうち、一対の短辺部４３ｐ，４３ｑと１つの長辺部４５ｐでは、接着剤またはヒートシールによって面４１，４２が接合されており、シール部が形成される。このシール部は、剥離可能に接合され、易開封性を有する。残る１つの長辺部４５ｂは、包装体４０を２つ折りにする折り返し部を形成する。この折り返し部には、物品本体２０の折り曲げ線２７および剥離シート２２の破断線３１に沿って延びる破断線４６が設けられる。包装体４０は、この破断線４６が破断されることによって、剥離シート２２の分割片２２ａまたは分割片２２ｂと一緒に物品本体２０から分割的に取り除き可能である。
【００４２】
なお、この例では、包装体４０の外周部全体（短辺部４３ｐ，４３ｑおよび長辺部４５ｐ，４５ｑ）を閉塞した構成を示したが、この他、包装体４０の外周部全体を開放した構成、あるいは、包装体４０の外周部の少なくとも一部を閉塞した構成を採用してもよい。
【００４３】
包装体４０は、例えば、紙、樹脂フィルム、不織布といった薄く且つ柔軟な軟包装を基材とするものであり、いわゆるピロー包装によって構成されるもの、筒状体の軸方向両端部をシールしたものなど、各種の形態から選択可能である。かかる樹脂フィルムとしては、例えば、ポリエステル、ポリビニルアルコール、ポリエチレン、ポリプロピレン、ポリエチレンとポリプロピレンの複合フィルム等があげられる。また、かかる不織布は、製法を特に限定せず、例えば、スパンボンドやメルトブロー不織布、あるいは、スパンボンド／メルトブロー、スパンボンド／メルトブローン／スパンボンドを積層した複合不織布およびこれらの複合材料があげられる。また、使用後の物品本体２０を包装体４０で包んで廃棄することを考慮すると、包装体４０には、消臭機能を有する材料を用いることが好ましい。
【００４４】
（吸収性物品１０の装着方法）
続いて、吸収性物品１０の装着例を図６、図７に基づいて説明する。
図６に示すように、まず、包装体４０の破断線４６を破断して包装体４０を開封する（矢印（１））。次に、破断線４６全体を破断すると共に包装体４０におけるシール部（この例では、短辺部４３ｐ，４３ｑと長辺部４５ｐ）を剥離し、包装体４０の一つの面４１を物品本体２０から取り除く。このとき、剥離シート２２の破断線３１が破断されるため、接着剤２８（図２参照）によって接着された剥離シート２２の分割片２２ａと包装体４０の面４１とが一緒に取り除かれ、粘着層２１の幅方向一側の半部２１ａが露出する。
【００４５】
次に、図７（ａ）に示すように、粘着層２１の露出した半部２１ａを下着１１の内面の適切な位置に貼り付ける（矢印（２））。さらに、包装体４０の残りの面４２、および、剥離シート２２の残りの分割片２２ｂを物品本体２０から取り除いた後あるいは取り除きながら（矢印（３））、折り曲げ線２７を基点にして、折り畳まれた物品本体２０を平らに展開する（矢印（４））。そして、図７（ｂ）に示すように、後から露出させた粘着層２１の半部２１ｂを下着１１の内面に貼り付ける。これで、物品本体２０の下着１１への装着が完了となる。
【００４６】
（吸収性物品１０の効果）
以上、説明した吸収性物品１０の効果について述べる。
吸収性物品１０によれば、物品本体２０の長手方向に沿って延びる折り曲げ線２７によって、物品本体２０を細長い形態に折り畳むため、装着する際に物品本体２０を広げ易く、物品本体２０の形態を整え易い。この作用は、物品本体２０が薄くて軽い場合に特に有効であり、物品本体２０が超軽量、超薄型であっても、物品本体２０が撚れにくく、下着１１に対して物品本体２０を適切且つ容易に装着することができる。また、本実施形態では、粘着層の一例として粘着層２１を示したが、下着１１に対して物品本体２０を適切且つ容易に装着できることから、粘着層の面積を最小限に抑えることができる。例えば、物品本体２０の幅方向の片側領域、あるいは、物品本体２０の全幅の１／３以下の領域、あるいは、点状に粘着層を設けることができる。この場合、取り扱い時に、物品本体２０が部分的に折れて粘着層同士が貼り付いてしまうなどの不具合を減らすことができると同時に、粘着層の使用量を削減してより安価な吸収性物品１０を得ることができる。
【００４７】
また、物品本体２０を細長い形態に折り畳むことにより、物品本体の幅方向に形成される折り曲げ線により折り畳む従来の技術に比べ、広げた際に折り目が残りにくく、ふっくら感が保持される。このため、着用者に与える不快感を軽減することができる。
【００４８】
また、細長い形態の吸収性物品１０は、持ち運ぶ際、ポーチやバックなどの中から容易に見つけることができると共に、ポーチやバックなどの中も整理し易くなり、見栄えも良くなる。
【００４９】
したがって、第１実施形態によれば、物品本体２０が薄くて軽い場合であっても、適切且つ容易に下着１１に装着できると共に、着用者に与える不快感を軽減でき、しかも、持ち運ぶ際の利便性を高めることができる吸収性物品１０が提供される。
【００５０】
さらに、剥離シート２２を分割的に剥離できるので、粘着層２１の半部２１ａを下着１１に貼り付けて正確に位置決めしてから、粘着層２１の残りの半部２１ｂを下着１１に貼り付けることができる。すなわち、粘着層２１の全ての面を一度に下着１１に貼り付ける必要がなく、粘着層２１を段階的に下着１１に貼り付けることができるので、物品本体２０を下着１１に対して、より容易に装着することができる。
【００５１】
加えて、包装体４０の破断線４６により、剥離シート２２の分割片２２ａ，２２ｂと一緒に包装体４０を分割的に取り除くことができので、物品本体２０が包装された状態であっても、粘着層２１を段階的に下着１１に貼り付けることができる。
【００５２】
（他の実施形態）
続いて、本発明の他の実施形態を図８〜図１５に基づいて説明する。なお、前述した第１実施形態の吸収性物品１０と共通する要素には同じ符号を付して、重複する説明を省略することとする。
【００５３】
（第２実施形態）
図８に示すように、第２実施形態の吸収性物品１０Ｂは、剥離シート２２の破断時に把持される把持部５０を有する。把持部５０は、剥離シート２２の長手方向端部に設けられる。把持部５０の基端部５１は、剥離シート２２の内側に位置し、把持部５０の先端部５２は、包装体４０の外周部から突出している。この吸収性物品１０Ｂによれば、前述した第１実施形態の吸収性物品１０と同様の作用効果が得られることに加え、図９に示すように、把持部５０の先端部５２を引っ張ることにより、包装体４０および剥離シート２２を容易に破断できるので、高い利便性を得ることができる。
【００５４】
（第３実施形態）
図１０に示すように、第３実施形態の吸収性物品１０Ｃでは、物品本体２０の幅方向両端部に折り曲げ線２７Ｃを設け、図１１に示すように、この折り曲げ線２７Ｃによって物品本体２０の幅方向両端部をトップシート２３側に折り曲げる。さらに、物品本体２０の長手方向両側の少なくとも一側（この例では、両側）において、剥離シート２２と粘着層２１との間に紐状体６０を設ける。この紐状体６０は、物品本体２０の長手方向に沿って延び、剥離シート２２の破断方向を適正な方向に案内する機能を有する。この吸収性物品１０Ｃでは、剥離シート２２および包装体４０Ｃに破断線を設けなくてもよいが、必要に応じて破断線を設けることもできる。また、包装体４０Ｃの形態は任意であるが、ここでは、トップシート２３側で接合されるシール部４７を備える包装体４０Ｃを用い、包装体４０Ｃの一対の短辺部４３ｐ，４３ｑを接合して物品本体２０を密封する。
【００５５】
この吸収性物品１０Ｃによれば、図１２に示すように、紐状体６０の先端部６２を引っ張ることによって、剥離シート２２の破断方向が適正な方向に案内されるので、より使い勝手の良い吸収性物品１０Ｃを得ることができる。
【００５６】
なお、図１０に示すように、剥離シート２２を破断させる長さＬ１は、物品本体２０を摘むことができる程度に剥離シート２２を破断させる大きさであれば、任意である。例えば、物品本体２０の全長Ｌ２の１／３程度の大きさに、長さＬ１を設定することができ、より具体的には、物品本体２０の全長Ｌ２が１５０ｍｍ〜１８０ｍｍ程度である場合、長さＬ１を５０ｍｍ程度に設定することができる。また、包装体４０の端部には、摘み部４８（ここでは、短辺部４３ｐ，４３ｑに相当する部分）を設けることが望ましい。この摘み部４８の長さＬ３は、１０ｍｍ以上確保されることが望ましい。
【００５７】
（第４実施形態）
図１３に示すように、第４実施形態の吸収性物品１０Ｄでは、前述した第３実施形態の吸収性物品１０Ｃ（図１０参照）の基本構成において、紐状体６０Ｄの基端部６１側を、所定の角度で（例えば、略直角に）剥離シート２２の側端部に向けて屈曲させる。この吸収性物品１０Ｄによれば、前述した第３実施形態の吸収性物品１０Ｃ（図１０参照）と同様の作用効果が得られることに加え、Ｌ字状の紐状体６０Ｄを引っ張ることで（矢印（５）、矢印（６））、包装体４０Ｃおよび剥離シート２２のそれぞれの角部を容易に取り除くことができる。
【００５８】
（第５実施形態）
図１４に示すように、第５実施形態の吸収性物品１０Ｅでは、前述した第３実施形態の吸収性物品１０Ｃ（図１０参照）の基本構成において、包装体４０Ｅのバックシート２５側に、合掌状に接合した合掌シール部４７Ｅを設け、この合掌シール部４７Ｅに沿って紐状体６０を設ける。この吸収性物品１０Ｅによれば、前述した第３実施形態の吸収性物品１０Ｃ（図１０参照）と同様の作用効果が得られることに加え、紐状体６０を引っ張ることで（矢印（７））、合掌シール部４７Ｅのシール面に沿って紐状体６０が包装体４０を破断するため、より小さな力で包装体４０を破断することができる。
【００５９】
（第６実施形態）
本発明において、剥離シートを分割的に剥離する手段は、破断線や紐状体を用いた手段の他、各種の手段から選択可能である。
【００６０】
例えば、図１５に示すように、第６実施形態の吸収性物品１０Ｆ（包装体を省略して示す）では、複数（ここでは、２本）の粘着層２１ｃ，２１ｄを離間させて設け、その離間部２１ｅを利用して剥離シート２２Ｆを破断させる。すなわち、把持部５０を引っ張って、剥離シート２２Ｆを一方の粘着層２１ｃから剥離すると、接着されていない離間部２１ｅの作用により、二点鎖線で示す仮想線６３に沿って、剥離シート２２Ｆが破断する。このように、吸収性物品１０Ｆによれば、破断線や紐状体が設定されない剥離シート２２Ｆであっても、剥離シート２２Ｆを分割的に剥離し、粘着層２１ｃ，２１ｄを段階的に露出させることができる。
【００６１】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【００６２】
例えば、第１〜第６実施形態では、吸収性物品１０，１０Ｂ，１０Ｃ，１０Ｄ，１０Ｅ，１０Ｆを示したが、本発明の吸収性物品は、これらの実施形態を適宜組み合わせてもよい。
【００６３】
また、本発明の吸収性物品において、物品本体の折り数は、任意に設定可能であり、２つ折りの他、３つ折り、４つ折りでもよい。すなわち、本発明にいう「折り曲げ線」の本数は任意である。
【符号の説明】
【００６４】
１０，１０Ｂ〜１０Ｆ  吸収性物品
１１  下着
２０  物品本体
２１，２１ｅ，２１ｄ  粘着層
２２，２２Ｆ  剥離シート
２２ａ，２２ｂ  分割片
２７，２７Ｃ  折り曲げ線
４０，４０Ｃ，４０Ｅ  包装体
４６  破断線
５０  把持部
６０，６０Ｄ  紐状体
【図１】
2014230662.tif 000003
【図２】
2014230662.tif 000004
【図３】
2014230662.tif 000005
【図４】
2014230662.tif 000006
【図５】
2014230662.tif 000007
【図６】
2014230662.tif 000008
【図７】
2014230662.tif 000009
【図８】
2014230662.tif 000010
【図９】
2014230662.tif 000011
【図１０】
2014230662.tif 000012
【図１１】
2014230662.tif 000013
【図１２】
2014230662.tif 000014
【図１３】
2014230662.tif 000015
【図１４】
2014230662.tif 000016
【図１５】
2014230662.tif 000017